【事件の表示】
　特許第６５２４７４２号発明「楽音発生装置、方法、およびプログラム」の特許異議申立事件について、次のとおり決定する。
【結　論】
　特許第６５２４７４２号の特許請求の範囲を訂正請求書に添付された訂正特許請求の範囲のとおり、訂正後の請求項〔１〜４〕、５、６について訂正することを認める。
　特許第６５２４７４２号の請求項〔１〜４〕、５、６に係る特許を維持する。
【理　由】
第１　手続の経緯
　特許第６５２４７４２号の請求項１〜６に係る特許についての出願は、平成２７年３月２３日の出願であって、令和元年５月１７日にその特許権の設定登録がされ、令和元年６月５日に特許掲載公報が発行された。その後、その特許について、令和元年１２月５日に特許異議申立人細江進により特許異議の申立てがされたものである。
　そして、その後の経緯は次のとおりである。
　
　令和２年２月２０日付け　取消理由通知書
　令和２年４月２４日　　　訂正請求書、意見書の提出（特許権者）
　令和２年７月１４日付け　通知書（訂正請求があった旨の通知）
　なお、異議申立人に対し、上記通知書において、期間を指定して特許権者による訂正の請求について意見を提出する機会を与えたが、異議申立人から意見書の提出はなかった。
第２　訂正の適否
　１　訂正事項
　令和２年４月２４日の訂正請求（以下、「本件訂正請求」という。）による訂正の内容は、以下のとおりである。また、下線は訂正箇所である。
（１）請求項１〜４について
ア　訂正事項１
　特許請求の範囲の請求項１に
「演奏指示により音高が指定されたかにかかわらず、複数種の音高夫々に基づいて波形データを読み出す波形データ読出し部と、
　前記演奏指示によりいずれかの音高が指定されたときに、当該指定された音高に対応して前記波形データ読出し部から読み出された前記波形データを出力させるように制御する出力制御部と、
を備える楽音発生装置。」
と記載されているのを、
「
ドローバー操作に応じて、混合波形データを生成するドローバー部と、
　
前記混合波形データの生成に応じて前記混合波形データをコピーすることにより、複数組のコピー波形データを生成するコピー部と、
　演奏指示により音高が指定されたかにかかわらず、複数種の音高夫々に基づ
く読み出し速度で前記複数組のコピー
の位相を合わせて前記複数組のコピー波形データ
　前記演奏指示によりいずれかの音高が指定されたときに、当該指定された音高に対応して前記波形データ読出し部から読み出された前記
コピー
を備える楽音発生装置。」
に訂正する（請求項１を直接的または間接的に引用する請求項２〜４についても同様に訂正する。）。
イ　訂正事項２
　特許請求の範囲の請求項２に
「前記波形データを生成するドローバー部をさらに備え、
　前記ドローバー部は、基本波形データ及び当該基本波形の倍音波形データ夫々を生成する複数の波形データ生成部と、前記複数の波形データ生成部から生成された波形データ夫々に対して、ドローバー操作子によって指定された係数を乗算して出力する複数の乗算器と、前記複数の乗算器夫々の出力を混合して波形データとして出力する混合器と、を備える、
　ことを特徴とする請求項１に記載の楽音発生装置。」
と記載されているのを、
「
前
、前記混合
、
　
前記コピー波形データの出力中における新たなドローバー操作に応じて前記ドローバー部により新たな混合波形データが生成された場合に、前記コピー部は、前記波形データ読出し部による読み出し対象のアドレス範囲内を書き換えずに、前記読み出し対象のアドレス範囲外のアドレス範囲を、前記新たな混合波形データに基づく新たなコピー波形データで書き換える
　ことを特徴とする請求項１に記載の楽音発生装置。」
に訂正する（請求項２を直接的または間接的に引用する請求項３及び４についても同様に訂正する。）。
ウ　訂正事項３
　特許請求の範囲の請求項３に
「前記波形データの出力を制御する」
と記載されているのを
「前記
コピー
に訂正する（請求項３を引用する請求項４についても同様に訂正する。）。
（２）請求項５について（訂正事項４）
　特許請求の範囲の請求項５に
「波形データを読み出す波形データ読出し部と、前記波形データを出力させるように制御する出力制御部と、を備える楽音発生装置に用いられる楽音発生方法であって、前記楽音発生装置は、
　演奏指示により音高が指定されたかにかかわらず、複数種の音高夫々に基づいて波形データを読み出し、
　前記演奏指示によりいずれかの音高が指定されたときに、当該指定された音高に対応して前記読み出された波形データを出力させるように制御する、楽音発生方法。」
と記載されているのを、
「波形データを読み出す波形データ読出し部と、前記波形データを出力させるように制御する出力制御部と、を備える楽音発生装置に用いられる楽音発生方法であって、前記楽音発生装置は、
　
ドローバー操作に応じて、混合波形データを生成し、
　
前記混合波形データの生成に応じて前記混合波形データをコピーすることにより、複数組のコピー波形データを生成し、
　演奏指示により音高が指定されたかにかかわらず、複数種の音高夫々に基づ
く読み出し速度で前記複数組のコピー
の位相を合わせて前記複数組のコピー波形データ
　前記演奏指示によりいずれかの音高が指定されたときに、当該指定された音高に対応して前記読み出された
コピー
に訂正する。
（３）請求項６について（訂正事項５）
　特許請求の範囲の請求項６に
「波形データを読み出す波形データ読出し部と、前記波形データを出力させるように制御する出力制御部と、を備える楽音発生装置に用いられるコンピュータに、
　演奏指示により音高が指定されたかにかかわらず、複数種の音高夫々に基づいて波形データを読み出すステップと、
　前記演奏指示によりいずれかの音高が指定されたときに、当該指定された音高に対応して前記読み出された波形データを出力させるように制御するステップと、
　をコンピュータに実行させるためのプログラム。」
と記載されているのを
「波形データを読み出す波形データ読出し部と、前記波形データを出力させるように制御する出力制御部と、を備える楽音発生装置に用いられるコンピュータに、
　
ドローバー操作に応じて、混合波形データを生成するステップと、
　
前記混合波形データの生成に応じて前記混合波形データをコピーすることにより、複数組のコピー波形データを生成するステップと、
　演奏指示により音高が指定されたかにかかわらず、複数種の音高夫々に基づ
く読み出し速度で前記複数組のコピー
の位相を合わせて前記複数組のコピー波形データ
　前記演奏指示によりいずれかの音高が指定されたときに、当該指定された音高に対応して前記読み出された
コピー
　をコンピュータに実行させるためのプログラム。」
に訂正する。
　２　訂正の適否の判断
（１）訂正事項１〜３について
ア　一群の請求項について
　訂正事項１〜３に係る訂正前の請求項１〜４について、請求項２〜４は、請求項１を引用しているものであって、訂正事項１によって記載が訂正される請求項１に連動して訂正されるものである。
　したがって、訂正前の請求項１〜４に対応する訂正後の請求項１〜４は、特許法第１２０条の５第４項に規定する一群の請求項である。
イ　訂正の目的
（ア）訂正事項１
　訂正事項１は、訂正前の請求項１の楽音発生装置に、「ドローバー操作に応じて、混合波形データを生成するドローバー部」及び「前記混合波形データの生成に応じて前記混合波形データをコピーすることにより、複数組のコピー波形データを生成するコピー部」を追加し、「波形データ読み出し部」を「複数種の音高夫々に基づく読み出し速度で」「複数組のコピー波形データの位相を合わせて前記複数組のコピー波形データを読み出す」ものであることに限定し、「出力制御部」が出力する「波形データ」を「コピー波形データ」に限定するための訂正であるから、特許法第１２０条の５第２項ただし書第１号に規定する特許請求の範囲の減縮を目的とするものである。
（イ）訂正事項２
　訂正事項２は、訂正前の請求項２の楽音発生装置について、混合器が出力する「波形データ」を「混合波形データ」に限定し、また、「前記コピー波形データの出力中における新たなドローバー操作に応じて前記ドローバー部により新たな混合波形データが生成された場合に、前記コピー部は、前記波形データ読出し部による読み出し対象のアドレス範囲内を書き換えずに、前記読み出し対象のアドレス範囲外のアドレス範囲を、前記新たな混合波形データに基づく新たなコピー波形データで書き換える」ものであることに限定するための訂正である。
　また、訂正事項２は、「前記波形データを生成するドローバー部」の構成を削除するものであるが、上記（ア）のとおり、訂正事項１によって混合波形データを生成するドローバー部の構成が請求項２が引用する請求項１に追加されていることから、請求項２のドローバー部に係る構成は実質的に変更されていない。
　よって、訂正事項２は、特許法第１２０条の５第２項ただし書第１号に規定する特許請求の範囲の減縮を目的とするものである。
（ウ）訂正事項３
　訂正事項３は、訂正前の請求項３の楽音発生装置において出力を制御する「波形データ」を、「コピー波形データ」に限定するための訂正であるから、特許法第１２０条の５第２項ただし書第１号に規定する特許請求の範囲の減縮を目的とするものである。
ウ　願書に添付した明細書、特許請求の範囲又は図面に記載した事項の範囲内の訂正であること
（ア）訂正事項１
ａ　「ドローバー操作に応じて、混合波形データを生成するドローバー部」は、【００１４】の「ドローバー部１０５は、演奏者によるドローバーの操作を検出し、ＣＰＵ１０１に通知する」及び【００１８】の「ＣＰＵ１０１は、乗算結果の＃１〜＃９の各正弦波データを、加算処理３０３で混合し、その混合結果の波形データ３０４としてＲＡＭ１０３に記憶する」の記載、及び、図３に基づくものである。
ｂ　「前記混合波形データの生成に応じて前記混合波形データをコピーすることにより、複数組のコピー波形データを生成するコピー部」は、【００１８】の「最後に、ＣＰＵ１０１は、波形データ３０４をコピーして、鍵盤１０５の７９鍵分のＲＡＭ１０３上の記憶領域に、＃０〜＃７８の７９組のコピー波形データ３０５を生成する」の記載、及び、図３に基づくものである。
ｃ　「波形データ読み出し部」において、「複数種の音高夫々に基づく読み出し速度で」「複数組のコピー波形データの位相を合わせて前記複数組のコピー波形データを読み出す」ことは、【００２０】の「任意の＃ｉ（０≦ｉ≦７８）番目の１つのＯＳＣ４０１（＃ｉ）は、鍵盤部１０４の＃ｉ番目の音高（＃ｉ）の鍵に対応しており、図３のＣＰＵ１０１の波形データ合成機能によりＲＡＭ１０３に得られている＃ｉ番目のコピー波形データ３０５（＃ｉ）中の１つ以上の波形サンプルデータを、音高（＃ｉ）に対応した読出し速度（サンプル間隔）で読み出す」の記載、及び、【００２４】の「＃０〜＃７８の各ＯＳＣ４０１は、もともと同一の波形データ３０４からコピーされた＃０〜＃７８の各コピー波形データ３０５から位相（読出し開始アドレス）を合わせて常に読出しを行って、＃０〜＃７８の各波形データを生成している」の記載に基づくものである。
ｄ　「出力制御部」が「コピー波形データ」を出力することは、【００２２】の「演奏者が鍵盤部１０４の任意の＃ｉ番目（０≦ｉ≦７８）の音高の鍵を押鍵すると、ＣＰＵ１０１が、鍵盤部１０４での音高（＃ｉ）の鍵の押鍵を検出することにより、音源部１０６に対して音高（＃ｉ）の楽音の発音指示データを供給する。この結果、音源部１０６内のＥＧ４０２（＃ｉ）が動作を開始する。ＥＧ４０２（＃ｉ）は、ＯＳＣ４０１（＃ｉ）が生成する波形データに対して、例えば演奏者が予め指示をした所定の強度変化特性の振幅エンベロープを押鍵開始後の時間経過とともに乗算し、その乗算の結果得られる波形データを発音出力する」の記載、及び、【００２４】の「＃０〜＃７８の各ＯＳＣ４０１は、もともと同一の波形データ３０４からコピーされた＃０〜＃７８の各コピー波形データ３０５から位相（読出し開始アドレス）を合わせて常に読出しを行って、＃０〜＃７８の各波形データを生成している」の記載に基づくものである。
　よって、訂正事項１は、願書に添付した明細書、特許請求の範囲又は図面に記載した事項の範囲内の訂正であり、特許法第１２０条の５第９項で準用する特許法第１２６条第５項の規定に適合するものである。
（イ）訂正事項２
ａ　ドローバー部の混合器が「混合波形データ」を出力することは、【００１８】の「ＣＰＵ１０１は、乗算結果の＃１〜＃９の各正弦波データを、加算処理３０３で混合し、その混合結果の波形データ３０４としてＲＡＭ１０３に記憶する」の記載に基づくものである。
ｂ　「前記コピー波形データの出力中における新たなドローバー操作に応じて前記ドローバー部により新たな混合波形データが生成された場合に、前記コピー部は、前記波形データ読出し部による読み出し対象のアドレス範囲内を書き換えずに、前記読み出し対象のアドレス範囲外のアドレス範囲を、前記新たな混合波形データに基づく新たなコピー波形データで書き換える」ことは、【００２７】の「ここで、ドローバー操作により変更された波形データ３０４が任意の＃ｉ（０≦ｉ≦７８）番目のコピー波形データ３０５（＃ｉ）にコピーされるとき」の記載、【００３１】の「ＣＰＵ１０１は、図５（ｂ）の５０２の破線波形部分として示される、コピー波形データ３０５（＃ｉ）上の読出し対象のアドレス範囲ｒｅａｄ＿ｓｔａｒｔ［ｉ］〜ｒｅａｄ＿ｅｎｄ［ｉ］の波形サンプルデータについては、現在のサンプリングタイミングでは、ＯＳＣ４０１（＃ｉ）およびＥＧ４０２（＃ｉ）が波形データを発音出力するための補間処理に使用する可能性がある。このため、ＣＰＵ１０１は、この範囲の波形サンプルデータについては、変更後の波形データ３０４による書換え（置換え）は行わない」の記載、【００３２】の「一方、コピー波形データ３０５（＃ｉ）上の、読出し対象のアドレス範囲ｒｅａｄ＿ｓｔａｒｔ［ｉ］〜ｒｅａｄ＿ｅｎｄ［ｉ］以外のアドレス範囲、すなわち図５（ｂ）の波形部分５０３として示される、波形開始アドレスｓｔａｒｔ［ｉ］から読出し対象の先頭アドレスｒｅａｄ＿ｓｔａｒｔ［ｉ］の１アドレス手前までと、読出し対象の終了アドレスｒｅａｄ＿ｅｎｄ［ｉ］の１アドレス後から波形末尾アドレスｅｎｄ［ｉ］までのアドレス範囲の波形サンプルデータについては、現在のサンプリングタイミングでは、ＯＳＣ４０１（＃ｉ）およびＥＧ４０２（＃ｉ）が波形データを発音出力するための補間処理に使用する可能性はない。このため、ＣＰＵ１０１は、この範囲の波形サンプルデータを、変更後の波形データ３０４の対応する波形サンプルデータで書き換える（置き換える）」の記載、及び図５（ｂ）に基づくものである。
　よって、訂正事項２は、願書に添付した明細書、特許請求の範囲又は図面に記載した事項の範囲内の訂正であり、特許法第１２０条の５第９項で準用する特許法第１２６条第５項の規定に適合するものである。
（ウ）訂正事項３
　訂正事項３は、【００２２】の「演奏者が鍵盤部１０４の任意の＃ｉ番目（０≦ｉ≦７８）の音高の鍵を押鍵すると、ＣＰＵ１０１が、鍵盤部１０４での音高（＃ｉ）の鍵の押鍵を検出することにより、音源部１０６に対して音高（＃ｉ）の楽音の発音指示データを供給する。この結果、音源部１０６内のＥＧ４０２（＃ｉ）が動作を開始する。ＥＧ４０２（＃ｉ）は、ＯＳＣ４０１（＃ｉ）が生成する波形データに対して、例えば演奏者が予め指示をした所定の強度変化特性の振幅エンベロープを押鍵開始後の時間経過とともに乗算し、その乗算の結果得られる波形データを発音出力する」の記載、及び、【００２４】の「＃０〜＃７８の各ＯＳＣ４０１は、もともと同一の波形データ３０４からコピーされた＃０〜＃７８の各コピー波形データ３０５から位相（読出し開始アドレス）を合わせて常に読出しを行って、＃０〜＃７８の各波形データを生成している」の記載に基づくものである。
　よって、訂正事項３は、願書に添付した明細書、特許請求の範囲又は図面に記載した事項の範囲内の訂正であり、特許法第１２０条の５第９項で準用する特許法第１２６条第５項の規定に適合するものである。
エ　実質上特許請求の範囲を拡張し、又は変更する訂正ではないこと
　訂正事項１〜３は、上記イ（ア）〜（ウ）に示したように、特許請求の範囲の減縮を目的とする訂正であり、発明のカテゴリーや発明の対象、目的を変更するものではないから、実質上特許請求の範囲を拡張し、又は変更する訂正でなく、特許法第１２０条の５第９項で準用する特許法第１２６条第６項の規定に適合するものである。
オ　独立特許要件について 
　訂正前の請求項１〜４は、本件特許異議申立事件において特許異議の申立てがされている請求項であるから、訂正事項１〜３については、特許法第１２０条の５第９項で読み替えて準用する特許法第１２６条第７項に基づき、独立特許要件は課されない。
（２）訂正事項４について
ア　訂正の目的
　訂正事項４は、訂正前の請求項５の楽音発生方法に、「ドローバー操作に応じて、混合波形データを生成し、前記混合波形データの生成に応じて前記混合波形データをコピーすることにより、複数組のコピー波形データを生成」することを追加し、波形データの読み出しを「複数種の音高夫々に基づく読み出し速度で」「複数組のコピー波形データの位相を合わせて前記複数組のコピー波形データを読み出」すことに限定し、出力する「波形データ」を「コピー波形データ」に限定するするための訂正であるから、特許法第１２０条の５第２項ただし書第１号に規定する特許請求の範囲の減縮を目的とするものである。
イ　願書に添付した明細書、特許請求の範囲又は図面に記載した事項の範囲内の訂正であること
（ア）「ドローバー操作に応じて、混合波形データを生成し、前記混合波形データの生成に応じて前記混合波形データをコピーすることにより、複数組のコピー波形データを生成」することは、【００１４】の「ドローバー部１０５は、演奏者によるドローバーの操作を検出し、ＣＰＵ１０１に通知する」の記載、【００１８】の「ＣＰＵ１０１は、乗算結果の＃１〜＃９の各正弦波データを、加算処理３０３で混合し、その混合結果の波形データ３０４としてＲＡＭ１０３に記憶する」「最後に、ＣＰＵ１０１は、波形データ３０４をコピーして、鍵盤１０５の７９鍵分のＲＡＭ１０３上の記憶領域に、＃０〜＃７８の７９組のコピー波形データ３０５を生成する」の記載、及び、図３に基づくものである。
（イ）波形データの読み出しを「複数種の音高夫々に基づく読み出し速度で」「複数組のコピー波形データの位相を合わせて前記複数組のコピー波形データを読み出」すことは、【００２０】の「任意の＃ｉ（０≦ｉ≦７８）番目の１つのＯＳＣ４０１（＃ｉ）は、鍵盤部１０４の＃ｉ番目の音高（＃ｉ）の鍵に対応しており、図３のＣＰＵ１０１の波形データ合成機能によりＲＡＭ１０３に得られている＃ｉ番目のコピー波形データ３０５（＃ｉ）中の１つ以上の波形サンプルデータを、音高（＃ｉ）に対応した読出し速度（サンプル間隔）で読み出す」の記載、及び、【００２４】の「＃０〜＃７８の各ＯＳＣ４０１は、もともと同一の波形データ３０４からコピーされた＃０〜＃７８の各コピー波形データ３０５から位相（読出し開始アドレス）を合わせて常に読出しを行って、＃０〜＃７８の各波形データを生成している」の記載に基づくものである。
（ウ）「コピー波形データ」を出力することは、【００２２】の「演奏者が鍵盤部１０４の任意の＃ｉ番目（０≦ｉ≦７８）の音高の鍵を押鍵すると、ＣＰＵ１０１が、鍵盤部１０４での音高（＃ｉ）の鍵の押鍵を検出することにより、音源部１０６に対して音高（＃ｉ）の楽音の発音指示データを供給する。この結果、音源部１０６内のＥＧ４０２（＃ｉ）が動作を開始する。ＥＧ４０２（＃ｉ）は、ＯＳＣ４０１（＃ｉ）が生成する波形データに対して、例えば演奏者が予め指示をした所定の強度変化特性の振幅エンベロープを押鍵開始後の時間経過とともに乗算し、その乗算の結果得られる波形データを発音出力する」の記載、及び、【００２４】の「＃０〜＃７８の各ＯＳＣ４０１は、もともと同一の波形データ３０４からコピーされた＃０〜＃７８の各コピー波形データ３０５から位相（読出し開始アドレス）を合わせて常に読出しを行って、＃０〜＃７８の各波形データを生成している」の記載に基づくものである。
　よって、訂正事項４は、願書に添付した明細書、特許請求の範囲又は図面に記載した事項の範囲内の訂正であり、特許法第１２０条の５第９項で準用する特許法第１２６条第５項の規定に適合するものである。
ウ　実質上特許請求の範囲を拡張し、又は変更する訂正ではないこと
　訂正事項４は、上記アに示したように、特許請求の範囲の減縮を目的とする訂正であり、発明のカテゴリーや発明の対象、目的を変更するものではないから、実質上特許請求の範囲を拡張し、又は変更する訂正でなく、特許法第１２０条の５第９項で準用する特許法第１２６条第６項の規定に適合するものである。
エ　独立特許要件について 
　訂正前の請求項５は、本件特許異議申立事件において特許異議の申立てがされている請求項であるから、訂正事項４については、特許法第１２０条の５第９項で読み替えて準用する特許法第１２６条第７項に基づき、独立特許要件は課されない。
（３）訂正事項５について
ア　訂正の目的
　訂正事項５は、訂正前の請求項６の楽音発生方法に、「ドローバー操作に応じて、混合波形データを生成するステップ」と、「前記混合波形データの生成に応じて前記混合波形データをコピーすることにより、複数組のコピー波形データを生成するステップ」を追加し、「波形データを読み出すステップ」を「複数種の音高夫々に基づく読み出し速度で」「複数組のコピー波形データの位相を合わせて前記複数組のコピー波形データを読み出す」ことに限定し、「制御するステップ」の「波形データ」を「コピー波形データ」に限定するするための訂正であるから、特許法第１２０条の５第２項ただし書第１号に規定する特許請求の範囲の減縮を目的とするものである。
イ　願書に添付した明細書、特許請求の範囲又は図面に記載した事項の範囲内の訂正であること
（ア）「ドローバー操作に応じて、混合波形データを生成するステップ」は、【００１４】の「ドローバー部１０５は、演奏者によるドローバーの操作を検出し、ＣＰＵ１０１に通知する」の記載、【００１８】の「ＣＰＵ１０１は、乗算結果の＃１〜＃９の各正弦波データを、加算処理３０３で混合し、その混合結果の波形データ３０４としてＲＡＭ１０３に記憶する」の記載、及び、図３に基づくものである。
（イ）「前記混合波形データの生成に応じて前記混合波形データをコピーすることにより、複数組のコピー波形データを生成するステップ」は、【００１８】の「最後に、ＣＰＵ１０１は、波形データ３０４をコピーして、鍵盤１０５の７９鍵分のＲＡＭ１０３上の記憶領域に、＃０〜＃７８の７９組のコピー波形データ３０５を生成する」の記載、及び、図３に基づくものである。
（ウ）「波形データを読み出すステップ」において、「複数種の音高夫々に基づく読み出し速度で」「複数組のコピー波形データの位相を合わせて前記複数組のコピー波形データを読み出す」ことは、【００２０】の「任意の＃ｉ（０≦ｉ≦７８）番目の１つのＯＳＣ４０１（＃ｉ）は、鍵盤部１０４の＃ｉ番目の音高（＃ｉ）の鍵に対応しており、図３のＣＰＵ１０１の波形データ合成機能によりＲＡＭ１０３に得られている＃ｉ番目のコピー波形データ３０５（＃ｉ）中の１つ以上の波形サンプルデータを、音高（＃ｉ）に対応した読出し速度（サンプル間隔）で読み出す」の記載、及び、【００２４】の「＃０〜＃７８の各ＯＳＣ４０１は、もともと同一の波形データ３０４からコピーされた＃０〜＃７８の各コピー波形データ３０５から位相（読出し開始アドレス）を合わせて常に読出しを行って、＃０〜＃７８の各波形データを生成している」の記載に基づくものである。
（エ）「制御するステップ」において、「コピー波形データ」の出力を制御することは、【００２２】の「演奏者が鍵盤部１０４の任意の＃ｉ番目（０≦ｉ≦７８）の音高の鍵を押鍵すると、ＣＰＵ１０１が、鍵盤部１０４での音高（＃ｉ）の鍵の押鍵を検出することにより、音源部１０６に対して音高（＃ｉ）の楽音の発音指示データを供給する。この結果、音源部１０６内のＥＧ４０２（＃ｉ）が動作を開始する。ＥＧ４０２（＃ｉ）は、ＯＳＣ４０１（＃ｉ）が生成する波形データに対して、例えば演奏者が予め指示をした所定の強度変化特性の振幅エンベロープを押鍵開始後の時間経過とともに乗算し、その乗算の結果得られる波形データを発音出力する」の記載、及び、【００２４】の「＃０〜＃７８の各ＯＳＣ４０１は、もともと同一の波形データ３０４からコピーされた＃０〜＃７８の各コピー波形データ３０５から位相（読出し開始アドレス）を合わせて常に読出しを行って、＃０〜＃７８の各波形データを生成している」の記載に基づくものである。
　よって、訂正事項５は、願書に添付した明細書、特許請求の範囲又は図面に記載した事項の範囲内の訂正であり、特許法第１２０条の５第９項で準用する特許法第１２６条第５項の規定に適合するものである。
ウ　実質上特許請求の範囲を拡張し、又は変更する訂正ではないこと
　訂正事項５は、上記アに示したように、特許請求の範囲の減縮を目的とする訂正であり、発明のカテゴリーや発明の対象、目的を変更するものではないから、実質上特許請求の範囲を拡張し、又は変更する訂正でなく、特許法第１２０条の５第９項で準用する特許法第１２６条第６項の規定に適合するものである。
エ　独立特許要件について 
　訂正前の請求項６は、本件特許異議申立事件において特許異議の申立てがされている請求項であるから、訂正事項５については、特許法第１２０条の５第９項で読み替えて準用する特許法第１２６条第７項に基づき、独立特許要件は課されない。
　３　むすび 
　以上のとおり、本件訂正請求は、特許法第１２０条の５第２項ただし書第１号に掲げる事項を目的としており、かつ、同条第４項、及び第９項で準用する同法第１２６条第５項及び第６項の規定に適合している。 
　したがって、訂正後の請求項〔１〜４〕、５、６についての訂正を認める。
第３　本件訂正発明
　令和２年４月２４日の本件訂正請求により訂正された本件特許請求の範囲の１〜６に係る発明（以下、「本件訂正発明１」〜「本件訂正発明６」という。）は、訂正請求書に添付された訂正特許請求の範囲に記載された以下のとおりのものである。
　なお、説明のために、本件訂正発明１、本件訂正発明５、本件訂正発明６については、（Ａ）〜（Ｅ）、（Ａ１）〜（Ｅ１）、（Ａ２）〜（Ｅ２）の記号を当審において付与した。以下、「構成Ａ」〜「構成Ｅ」、「構成Ａ１」〜「構成Ｅ１」、「構成Ａ２」〜「構成Ｅ２」と称する。
【請求項１】（本件訂正発明１）
（Ａ）ドローバー操作に応じて、混合波形データを生成するドローバー部と、
（Ｂ）前記混合波形データの生成に応じて前記混合波形データをコピーすることにより、複数組のコピー波形データを生成するコピー部と、
（Ｃ）演奏指示により音高が指定されたかにかかわらず、複数種の音高夫々に基づく読み出し速度で前記複数組のコピー波形データの位相を合わせて前記複数組のコピー波形データを読み出す波形データ読出し部と、
（Ｄ）前記演奏指示によりいずれかの音高が指定されたときに、当該指定された音高に対応して前記波形データ読出し部から読み出された前記コピー波形データを出力させるように制御する出力制御部と、
（Ｅ）を備える楽音発生装置。
【請求項２】（本件訂正発明２）
　前記ドローバー部は、基本波形データ及び当該基本波形の倍音波形データ夫々を生成する複数の波形データ生成部と、前記複数の波形データ生成部から生成された波形データ夫々に対して、ドローバー操作子によって指定された係数を乗算して出力する複数の乗算器と、前記複数の乗算器夫々の出力を混合して、前記混合波形データとして出力する混合器と、を備え、
　前記コピー波形データの出力中における新たなドローバー操作に応じて前記ドローバー部により新たな混合波形データが生成された場合に、前記コピー部は、前記波形データ読出し部による読み出し対象のアドレス範囲内を書き換えずに、前記読み出し対象のアドレス範囲外のアドレス範囲を、前記新たな混合波形データに基づく新たなコピー波形データで書き換える
　ことを特徴とする請求項１に記載の楽音発生装置。
【請求項３】（本件訂正発明３）
　前記出力制御部は、前記いずれかの音高が指定されるとともにベロシティが指定された場合、当該指定されたベロシティに基づいて前記コピー波形データの出力を制御することを特徴とする請求項１または２に記載の楽音発生装置。
【請求項４】（本件訂正発明４）
　請求項１ないし３のいずれかに記載の楽音発生装置と、
　前記複数の音高のいずれかを指定する複数の操作子と、
　前記楽音発生装置から出力される波形データに対応する楽音を生成するサウンドシステムと、
を備えることを特徴とする電子楽器。
【請求項５】（本件訂正発明５）
（Ａ１）波形データを読み出す波形データ読出し部と、前記波形データを出力させるように制御する出力制御部と、を備える楽音発生装置に用いられる楽音発生方法であって、前記楽音発生装置は、
（Ｂ１）ドローバー操作に応じて、混合波形データを生成し、
（Ｃ１）前記混合波形データの生成に応じて前記混合波形データをコピーすることにより、複数組のコピー波形データを生成し、
（Ｄ１）演奏指示により音高が指定されたかにかかわらず、複数種の音高夫々に基づく読み出し速度で前記複数組のコピー波形データの位相を合わせて前記複数組のコピー波形データを読み出し、
（Ｅ１）前記演奏指示によりいずれかの音高が指定されたときに、当該指定された音高に対応して前記読み出されたコピー波形データを出力させるように制御する、
（Ａ１）楽音発生方法。
【請求項６】（本件訂正発明６）
（Ａ２）波形データを読み出す波形データ読出し部と、前記波形データを出力させるように制御する出力制御部と、を備える楽音発生装置に用いられるコンピュータに、
（Ｂ２）ドローバー操作に応じて、混合波形データを生成するステップと、
（Ｃ２）前記混合波形データの生成に応じて前記混合波形データをコピーすることにより、複数組のコピー波形データを生成するステップと、
（Ｄ２）演奏指示により音高が指定されたかにかかわらず、複数種の音高夫々に基づく読み出し速度で前記複数組のコピー波形データの位相を合わせて前記複数組のコピー波形データを読み出すステップと、
（Ｅ２）前記演奏指示によりいずれかの音高が指定されたときに、当該指定された音高に対応して前記読み出されたコピー波形データを出力させるように制御するステップと、
（Ａ２）をコンピュータに実行させるためのプログラム。
第４　取消理由通知に記載した取消理由について
１　取消理由の概要
訂正前の請求項１〜６に係る特許に対して、当審が令和２年２月２０日付けで特許権者に通知した取消理由の要旨は、次のとおりである。
（１）請求項１、４〜６に係る発明は、甲第１号証に記載された発明である。よって、請求項１、４〜６に係る特許は、特許法第２９条第１項第３号の規定に違反してされたものである。
（２）請求項１、３〜６に係る発明は、甲第１号証に記載された発明に基いて、当業者が容易に想到することができたものである。よって、請求項１、３〜６に係る特許は、特許法第２９条第２項の規定に違反してされたものである。
（３）請求項１〜６に係る発明は、特許法第３６条第６項第１号に規定する要件を満たしていない特許出願に対してされたものである。
２　甲第１号証（特許第５１４２３６３号公報）
（１）甲第１号証の記載事項
　甲第１号証には、以下が記載されている。
ア「【００１５】
（１）全体回路
　図１は成分音合成方法を実現するコンピュータプログラムを実行する全体回路、成分音合成方法を実行する全体回路、
成分音合成装置
【００１６】
　
キーボード１１の各キーは、楽音の発音及び消音を指示する
各キーのオンイベント、オフイベントの判別が、コントローラ２によって行われる
（略）
【００２１】
　上記キーボード１１またはミディ回路１５には、自動演奏装置も含まれる。これら
キーボード１１
から発生された演奏情報（楽音発生情報）
（略）
【００３１】
　このような音楽的ファクタ情報は、コントローラ２へ送られ、後述の各種信号、データ、パラメータの切り換えが行われ、楽音の内容が決定される。上記演奏情報（楽音発生情報）及び楽音制御情報は
コントローラ２で処理され、各種データが楽音信号発生部５へ送られ
【図１】
 
                                               
」
イ「【００４１】
（２）楽音信号発生部５
　図２は上記
楽音信号発生部５
【００４２】
　この１オクターブ１２個＋１個＝１３個の成分音発生器２１…からの成分音信号は、一番低い周波数と一番高い周波数とが１オクターブ分の２倍の周波数比関係にある。これらの間の周波数は、２の１２乗根ずつの周波数比ずつずれている。なお、この周波数比は一例であって、これらの周波数比に限られるものではない。
【００４３】
　この
１０８個の成分音発生器２１…からは、それぞれ周波数の異なる同じ波形のサイン波の成分音信号が
常時出力される
【００４４】
　
各成分音発生器２１…からの
成分音信号は、１０８個の各乗算器２２…で各エンベロープ信号
がそれぞれ乗算合成され、各成分音信号のそれぞれのレベル／合成割合が「０」から所定値まで個別に変化制御される
【００４５】
　
上記各エンベロープ信号は、１０８個の各エンベロープ発生器２４…から出力される
ウ「【００５３】
（４）成分音エンベロープテーブル３１
　図４はプログラム／データ記憶部４内の成分音エンベロープテーブル３１を示す。この
成分音エンベロープテーブル３１には、各音色（トーンナンバデータＴＮ）、各音高（キーナンバデータＫＮ）の楽音を構成する各成分音のエンベロープデータ
が記憶され
【００５４】
　
各成分音のエンベロープデータは
エンベロープスピードデータＥＳ及びエンベロープタイムデータＥＴからなっている
【００５５】
　エンベロープスピードデータＥＳはエンベロープのデジタル演算１周期当たりの演算のステップ値を示す。エンベロープタイムデータＥＴはフェーズごとのエンベロープ演算時間（発生時間、発音時間）、つまり上記デジタル演算の各フェーズのごとの演算回数を示す。この
エンベロープスピードデータＥＳ及びエンベロープタイムデータＥＴによって演算されるエンベロープ信号
のレベル／合成割合
は、各成分音信号の発生量を示す
エ「【００７０】
（６）発音処理
　図６は上記ステップ０３の
発音処理
オンイベントがあると
成分音エンベロープテーブル３１に基づいてこのオンイベントに係る楽音のトーンナンバデータＴＮ及びキーナンバデータＫＮに対応するエンベロープスピードデータＥＳ及びエンベロープタイムデータＥＴ
が読み出される
（略）
【００７３】
　また、合成成分音コードデータのビットが「０」で成分音コードデータのビットが「１」であれば（ステップ１６）、上記ステップ１２で
読み出されたエンベロープスピードデータＥＳ及びエンベロープタイムデータＥＴが
対応する
エンベロープ発生器２４
にストアされる
（略）
【００７９】
　また、少なくとも２つの発音操作の後の開始タイミングにおいて、発音操作中の成分音信号の合成情報が「合成せず」、発音操作が開始された成分音信号の合成情報が「合成する」であれば（ステップ１６）、
発音操作が開始された成分音信号のエンベロープで発音開始される
オ「【０１３８】
（１０）楽音信号発生部５（第二実施例）
　図１２は上記楽音信号発生部５の第二実施例を示す。この
楽音信号発生部５
【０１３９】
　上記キーボード１１の各キーのオンデータは、乗算器６１…、乗算器６２…、………で振幅データが乗算され、発音ソース回路６３…に振幅データとして送り込まれる。この
振幅データはドローバー回路６５で設定される。発音ソース回路６３…からは、上記振幅データに応じた振幅で、周期の異なる同じ波形のサイン波などが出力される
【０１４０】
　
これらの振幅が制御された周期の異なる複数のサイン波
は、
合成され、
ドローバー回路６５…で設定された形状の波形の音色で、
サウンドシステム６に送られる
（２）甲１発明
　上記（１）ア〜エから、甲第１号証には、以下の発明（以下「甲１発明」という。）が記載されているといえる。なお、符号ａ〜ｇは説明のために当審が付したものであり、以下、構成ａ〜構成ｇと称する。
（甲１発明）
（ａ）楽音の発音及び消音を指示するキーボード１１から発生された演奏情報（楽音発生情報）はコントローラ２で処理され、キーボード１１の各キーのオンイベント、オフイベントの判別が行われ、コントローラ２で処理された各種データが送られる楽音信号発生部５であって、
（ｂ）それぞれ周波数の異なる同じ波形のサイン波の成分音信号が常時出力される１０８個の成分音発生器２１と、
（ｃ）各エンベロープ信号が出力される１０８個の各エンベロープ発生器２４と、
（ｄ）各成分音発生器２１からの成分音信号は、各エンベロープ信号がそれぞれ乗算合成され、各成分音信号のそれぞれのレベル／合成割合が「０」から所定値まで個別に変化制御される１０８個の各乗算器２２と、
を備え、
（ｅ）成分音エンベロープテーブル３１には、各音色（トーンナンバデータＴＮ）、各音高（キーナンバデータＫＮ）の楽音を構成する各成分音のエンベロープデータが記憶され、各成分音のエンベロープデータは、エンベロープスピードデータＥＳ及びエンベロープタイムデータＥＴからなり、エンベロープスピードデータＥＳ及びエンベロープタイムデータＥＴによって演算されるエンベロープ信号のレベル／合成割合は、各成分音信号の発生量を示し、
（ｆ）発音処理において、
（ｆ１）オンイベントがあると、成分音エンベロープテーブル３１に基づいてこのオンイベントに係る楽音のトーンナンバデータＴＮ及びキーナンバデータＫＮに対応するエンベロープスピードデータＥＳ及びエンベロープタイムデータＥＴが対応するエンベロープ発生器２４にストアされ、
（ｆ２）発音操作が開始された成分音信号のエンベロープで発音開始される、
（ｇ）楽音信号発生部５を備える成分音合成装置。
（３）甲１記載事項
　加えて、上記（１）オから、甲第１号証には、第二実施例として以下の事項（以下「甲１記載事項」という。）が記載されているといえる。
（甲１記載事項）
　楽音信号発生部において、ドローバー回路で設定される振幅データに応じた振幅で、発音ソース回路から周期の異なる同じ波形のサイン波が出力され、これらの振幅が制御された周期の異なる複数のサイン波は、合成され、ドローバー回路で設定された形状の波形の音色でサウンドシステムに送られること。
３　当審の判断
３．１　本件訂正発明１について
（１）特許法第２９条第１項３号及び特許法第２９条第２項について
ア　対比
（ア）構成Ａ及び構成Ｂについて
　甲１発明は、構成Ａの「ドローバー操作に応じて、混合波形データを生成するドローバー部」及び構成Ｂの「記混合波形データの生成に応じて前記混合波形データをコピーすることにより、複数組のコピー波形データを生成するコピー部」に対応する構成を備えていない。
　よって、本件訂正発明１と甲１発明は、本件訂正発明が構成Ａ及び構成Ｂを備えるのに対して、甲１発明はそのような構成を備えない点で、相違する。
（イ）構成Ｃについて
　構成ｂの１０８個の成分音発生器２１は、成分音信号が常時出力されることから、演奏指示により音高が指定されたかにかかわらず、成分音信号を出力するものである。
　構成ｂの１０８個の成分音発生器２１は、それぞれ周波数の異なる成分音信号を出力することから、複数種の音高夫々に基づいて成分音信号を出力しているといえ、さらに、波形の成分音信号を出力することから、複数種の音高夫々に基づいて波形データを出力しているといえる。
　波形データを出力することを、記憶させた波形データを読み出すことにより実施することは常套手段であるから、構成ｂの成分音発生器２１は、上述した複数種の音高夫々に基づいて波形データを出力する際に、読み出しを行っているといえる。
　よって、構成ｂと構成Ｃは、「演奏指示により音高が指定されたにかかわらず、複数種の音高夫々に基づ」いて「波形データを読み出す波形データ読出し部」である点で共通する。
　しかしながら、読み出す波形データについて、構成Ｃは、構成Ｂで生成された「複数組のコピー波形データ」であるのに対して、構成ｂは、複数の成分音発生器がそれぞれ出力する成分音信号である点で、両者は相違する。
　さらに、波形データの読み出し方について、構成Ｃは、「複数種の音高夫々に基づく読み出し速度で」「位相を合わせて」読み出すのに対して、構成ｂは、そのような読み出しを行わない点で、両者は相違する。
（ウ）構成Ｄについて
　構成ｆ１のオンイベントは、当該オンイベントに係るキーナンバデータＫＮを有するものであり、構成ｅによると、キーナンバデータＫＮは音高である。また、構成ａによると、楽音の発音及び消音を指示するキーボード１１の各キーのオンイベントであるから、構成ｆ１のオンイベントは、演奏指示によりいずれかの音高が指定されたときになされるものである。
　構成ｆ１のエンベロープスピードデータＥＳ及びエンベロープタイムデータＥＴが、オンイベントがあると対応するエンベロープ発生器２４にストアされ、構成ｅによると、エンベロープスピードデータＥＳ及びエンベロープタイムデータＥＴによってエンベロープ信号が演算される。
　構成ｄの１０８個の乗算器２２は、各成分音発生器２１から読み出された成分音信号に、オンイベントに応じたエンベロープ発生器２４からの各エンベロープ信号をそれぞれ乗算合成し、各成分音信号のそれぞれのレベル／合成割合を「０」から所定値まで個別に変化制御するものである。
　よって、構成Ｄと構成ｄは、「前記演奏指示によりいずれかの音高が指定されたときに、当該指定された音高に対応して波形データ読出し部から読み出された」「波形データを出力させるように制御する出力制御部」である点で共通する。
　しかしながら、上記（イ）において検討したように「波形データ読出し部」が読み出す波形データが相違することに従い、「出力制御部」が出力させるように制御する波形データについて、構成Ｄは、構成Ｃで読み出された「前記コピー波形データ」であるのに対して、構成ｄは、各成分音発生器から読み出された成分音信号である点で、両者は相違する。
（エ）構成Ｅについて
　構成ｇの成分音合成装置は、構成Ｅの楽音発生装置と一致する。
（オ）まとめ
　以上（ア）〜（エ）から、本件訂正発明１と甲１発明の一致点及び相違点は以下のとおりである。
（一致点）
（Ｃ’）演奏指示により音高が指定されたかにかかわらず、複数種の音高夫々に基づき波形データを読み出す波形データ読出し部と、
（Ｄ’）前記演奏指示によりいずれかの音高が指定されたときに、当該指定された音高に対応して波形データ読出し部から読み出された波形データを出力させるように制御する出力制御部と、
（Ｅ）を備える楽音発生装置。
（相違点１）
　本件訂正発明１は、「（Ａ）ドローバー操作に応じて、混合波形データを生成するドローバー部」、及び、「（Ｂ）前記混合波形データの生成に応じて前記混合波形データをコピーすることにより、複数組のコピー波形データを生成するコピー部」とを備えるのに対して、甲１発明はそのような構成を備えない点。
（相違点２）
　波形データ読み出し部で読み出し、出力制御部で出力を制御する波形データについて、本件訂正発明１は、構成Ｂで生成された「複数組のコピー波形データ」であるのに対して、甲１発明は、複数の成分音発生器がそれぞれ出力する成分音信号である点。
（相違点３）
　波形データ読み出し部における波形データの読み出し方について、本件訂正発明１は、「複数種の音高夫々に基づく読み出し速度で」「位相を合わせて」読み出すのに対して、甲１発明は、そのような読み出しを行わない点。
イ　判断
（ア）特許法第２９条第１項第３号について
　上記ア（オ）のとおり、本件訂正発明１と甲１発明は、相違点１〜相違点３において相違する。
　よって、本件訂正発明１は、甲第１号証に記載された発明ではない。
（イ）特許法第２９条第２項について
　上記ア（オ）の相違点１及び２について検討する。
　甲１記載事項は、甲第１発明と同様の課題を解決するための別の実施例であり、甲１発明の楽音信号発生部に甲１記載事項を採用することは、当業者が容易に想到し得るものである。
　しかしながら、甲１発明の楽音信号発生部に甲１記載事項を採用した場合、甲１記載事項のドローバー回路により音色の波形を変更するという技術思想を採用して、甲１発明における各音色に対応するトーンナンバデータ（ＴＮ）を甲１記載事項のドローバー回路によって選択する構成とすることは当業者が想到し得たとしても、本件訂正発明１の構成Ｂのように、ドローバー部が生成した混合波形データをコピーして複数組のコピー波形データを生成し、構成Ｃ及び構成Ｄのように、その複数組のコピー波形データを読み出して出力する構成とすることは、当業者といえども容易に想到し得たことではない。
　そして、本件訂正発明１は、そのような構成を備えることで、「混合されて放音された楽音の音量の変動をなくすとともに、ノイズの発生を抑制する」（【０００９】）という有利な効果を有するものである。
　よって、相違点３について検討するまでもなく、本件訂正発明１は、甲１発明に基づいて当業者が容易に発明をすることができたものではない。
（２）特許法第３６条第６項第１号について
　発明の詳細な説明の【０００５】及び【００２４】によれば、本件訂正発明１が解決しようとする課題は、押鍵タイミング次第で、既に発音されている楽音波形との位相関係が変わり、同じ押鍵の順番でもタイミング次第で、押鍵された各鍵に対応する各楽音波形同士が共鳴することにより、それらが混合されて放音された楽音の音量が大きくなったり小さくなったりしてしまうというものである。
　そして、発明の詳細な説明の段落００２４には、以下の事項ａ〜ｇが記載されている。
（ａ）本実施形態は、＃０〜＃７８の７９組のＯＳＣ４０１を使用する。
（ｂ）＃０〜＃７８の各ＯＳＣ４０１が読出しを行う波形データとして、１つの波形データ３０４ではなく、波形データ３０４から個別にコピーされた＃０〜＃７８の各コピー波形データ３０５をＲＡＭ１０３に記憶させて用いる。
（ｃ）＃０〜＃７８の各ＯＳＣ４０１は、もともと同一の波形データ３０４からコピーされた＃０〜＃７８の各コピー波形データ３０５から位相（読出し開始アドレス）を合わせて常に読出しを行って、＃０〜＃７８の各波形データを生成している。
（ｄ）この上で、各音高に対応する鍵盤１０５上の鍵が押鍵されていないときは、ＣＰＵ１０１が、各ＯＳＣ４０１の後段に接続される各ＥＧ４０２におけるゲインを０にして、各波形データが出力されないように制御する。
（ｅ）そして、鍵盤部１０４上の各音高に対応する鍵が押鍵されたタイミングで、該当するＥＧ４０２がそれに接続さるＯＳＣ４０１が出力している波形データへの振幅エンベロープの乗算を開始する。
（ｆ）このような処理により、各ＥＧ４０２が発音出力した各波形データをＭＩＸＥＲ４０３で混合して得られる楽音波形デ−タ４０４では、各音高ごとの各波形データの位相が常に揃った状態となる。
（ｇ）従って、押鍵タイミング次第で、既に発音されている他の波形データとの位相関係が変わり、出力される楽音波形デ−タ４０４の音量が大きくなったり小さくなったりしてしまうという課題を克服することが可能となる。
　事項ｃによると、＃０〜＃７８の各ＯＳＣ４０１は、もともと同一の波形データ３０４からコピーされた＃０〜＃７８の各コピー波形データ３０５を、位相（読出し開始アドレス）を合わせて、読み出している。
　そして、事項ｆ、ｇによると、事項ｃの処理を含む処理を行うことで、本件訂正発明１の課題が解決することができるとされている。
　そうすると、少なくとも、読み出す波形データに関して、一つのデータのコピーデータであること（構成Ｂ）、及び波形データを読み出す際に、位相を合わせて読み出すこと（構成Ｃ）が、発明の課題を解決するための手段であると認められる。
　よって、本件訂正発明１は、発明の課題を解決するための手段が反映されているといえ、特許法第３６条第６項第１号の要件を満たす。
３．２　本件訂正発明２〜本件訂正発明６について
（１）特許法第２９条第１項第３号及び第２項について
　本件訂正発明５及び本件訂正発明６は、本件訂正発明１の構成Ａ〜Ｄと同様の構成Ｂ１〜Ｅ１、または、構成Ｂ２〜Ｅ２を有するものであるから、本件訂正発明１と同様の理由で、甲第１号証に記載された発明ではなく、また、当業者であっても、甲第１号証に記載された発明に基づいて容易に発明をすることができたものとはいえない。
　また、本件訂正発明２〜本件訂正発明４は、本件訂正発明１を直接的または間接的に引用するものであって、本件訂正発明１からさらに限定を加えるものであるから、本件訂正発明１と同様の理由で、甲第１号証に記載された発明ではなく、また、当業者であっても、甲第１号証に記載された発明に基づいて容易に発明をすることができたものとはいえない。
（２）特許法第３６条第６項第１号について
　本件訂正発明５及び本件訂正発明６は、本件訂正発明１の構成Ｂ及びＣと同様の構成Ｃ１及びＤ１、または、構成Ｃ２及びＤ２を有するものであるから、本件訂正発明１と同様の理由で、特許法第３６条第６項第１号の要件を満たす。
　また、本件訂正発明２〜本件訂正発明４は、本件訂正発明１を直接的または間接的に引用するものであるから、本件訂正発明１と同様の理由で、特許法第３６条第６項第１号の要件を満たす。
第５　取消理由通知において採用しなかった特許異議申立理由について
　令和２年２月２０日付けで特許権者に通知した取消理由において採用しなかった特許異議申立理由について、以下検討する。
（１）請求項１〜６に係る発明に対する明確性要件（特許法第３６条第６項第２号）について
　異議申立人の申立理由は、請求項１に係る発明の各発明特定事項は、発明の課題との関係で、どのような技術的意義を有しているのか、当業者にとって理解することができず、また、発明特定事項が不足している（請求項２〜６についても同様）、というものである。
　しかしながら、本件訂正発明１は、上記第４の３．１（２）に示すとおり、発明の課題を解決するものと認められるから、技術的意義が明確であるといえ、また、発明特定事項の不足も認められない。
　よって、本件訂正発明１は、明確性の要件を満たしている。
　本件訂正発明２〜６についても同様である。
（２）請求項１〜６に係る発明に対する実施可能要件（特許法第３６条第４項第１号）について
　異議申立人の申立理由は、請求項１に係る発明の読出し部は、「複数種の音高夫々に基づいて波形データを読み出す」としか記載されていないところ、コピーでなくそれぞれが異なっている波形データを読み出すものや、位相や周波数が異なるデータを読み出すもの、さらには、位相を合わせずに読み出すものも含まれており、そのような発明については当業者が実施することができるように明細書に記載されていない（請求項２〜６についても同様）、というものである。
　しかしながら、上記第４の３．１（２）に示すとおり、本件訂正発明１の「波形データ読出し部」は、一つのデータのコピーデータである波形データを位相を合わせて読み出すものであり、発明の詳細な説明には、当該「波形データ読み出し部」について当業者が実施できる程度に明確かつ十分に記載されていると認められる。
　本件訂正発明２〜６についても同様である。
　よって、本件特許明細書の発明の詳細な説明は、実施可能要件を満たしている。
第６　むすび
　以上のとおりであるから、取消理由通知に記載した取消理由及び特許異議申立書に記載した特許異議申立理由によっては、本件請求項〔１〜４〕、５、６に係る特許を取り消すことはできない。
　また、他に本件請求項〔１〜４〕、５、６に係る特許を取り消すべき理由を発見しない。
　よって、結論のとおり決定する。
【異議決定日】
令和２年９月２５日（２０２０．９．２５）
【訂正の要旨】
審決（決定）の【理由】欄参照。
（５７）【特許請求の範囲】
　【請求項１】
　
ドローバー操作に応じて、混合波形データを生成するドローバー部と、
　
前記混合波形データの生成に応じて前記混合波形データをコピーすることにより、複数組のコピー波形データを生成するコピー部と、
　演奏指示により音高が指定されたかにかかわらず、複数種の音高夫々に基づ
く読み出し速度で前記複数組のコピー
の位相を合わせて前記複数組のコピー波形データ
　前記演奏指示によりいずれかの音高が指定されたときに、当該指定された音高に対応して前記波形データ読出し部から読み出された前記
コピー
を備える楽音発生装置。
　【請求項２】
　
前
、前記混合
、
　
前記コピー波形データの出力中における新たなドローバー操作に応じて前記ドローバー部により新たな混合波形データが生成された場合に、前記コピー部は、前記波形データ読出し部による読み出し対象のアドレス範囲内を書き換えずに、前記読み出し対象のアドレス範囲外のアドレス範囲を、前記新たな混合波形データに基づく新たなコピー波形データで書き換える
　ことを特徴とする請求項１に記載の楽音発生装置。
　【請求項３】
　前記出力制御部は、前記いずれかの音高が指定されるとともにベロシティが指定された場合、当該指定されたベロシティに基づいて前記
コピー
　【請求項４】
　請求項１ないし３のいずれかに記載の楽音発生装置と、
　前記複数の音高のいずれかを指定する複数の操作子と、
　前記楽音発生装置から出力される波形データに対応する楽音を生成するサウンドシステムと、
を備えることを特徴とする電子楽器。
　【請求項５】
　波形データを読み出す波形データ読出し部と、前記波形データを出力させるように制御する出力制御部と、を備える楽音発生装置に用いられる楽音発生方法であって、前記楽音発生装置は、
　
ドローバー操作に応じて、混合波形データを生成し、
　
前記混合波形データの生成に応じて前記混合波形データをコピーすることにより、複数組のコピー波形データを生成し、
　演奏指示により音高が指定されたかにかかわらず、複数種の音高夫々に基づ
く読み出し速度で前記複数組のコピー
の位相を合わせて前記複数組のコピー波形データ
　前記演奏指示によりいずれかの音高が指定されたときに、当該指定された音高に対応して前記読み出された
コピー
　【請求項６】
　波形データを読み出す波形データ読出し部と、前記波形データを出力させるように制御する出力制御部と、を備える楽音発生装置に用いられるコンピュータに、
　
ドローバー操作に応じて、混合波形データを生成するステップと、
　
前記混合波形データの生成に応じて前記混合波形データをコピーすることにより、複数組のコピー波形データを生成するステップと、
　演奏指示により音高が指定されたかにかかわらず、複数種の音高夫々に基づ
く読み出し速度で前記複数組のコピー
の位相を合わせて前記複数組のコピー波形データ
　前記演奏指示によりいずれかの音高が指定されたときに、当該指定された音高に対応して前記読み出された
コピー
をコンピュータに実行させるためのプログラム。